(57)【要約】【課題】サービスエリア内に存在する全てのデータキャリアを高速に、かつ一定時間で認識ことができるようにする。【解決手段】リーダ／ライタ装置から送られるコマンド信号に呼応してＩＤを送信するタイミングを上記ＩＤに対応させて個別に設定して、上記コマンド信号に呼応して複数のデータキャリアがＩＤを送信する際に、それぞれのデータキャリア毎に異なるタイミングで上記ＩＤを上記リーダ／ライタ装置に送信するようにして、１回のマルチリードシーケンスを行えば、サービスエリア内に存在する全てのデータキャリアリーダ／ライタ装置が認識することができるようにする。【選択図】        図１
2004158987.tif 000002
【特許請求の範囲】
【請求項１】
リーダ／ライタ装置から送られるコマンド信号に呼応して自己のＩＤを送信するように構成されたデータキャリアであって、
上記リーダ／ライタ装置から送られるコマンド信号に呼応して上記ＩＤを送信するタイミングが上記ＩＤに対応させて個別に設定されていて、上記コマンド信号に呼応して複数のデータキャリアがＩＤを送信する際に、それぞれのデータキャリア毎に異なるタイミングで上記ＩＤを送信するようになされていることを特徴とするデータキャリア。
【請求項２】
発行したコマンド信号に呼応してデータキャリアから送信されるＩＤを受信してサービスエリア内に存在する全てのデータキャリアを認識するデータキャリアシステムに用いられるリーダ／ライタ装置であって、
上記サービスエリア内に存在しているデータキャリアから送られるＩＤを受信するタイミングが、上記データキャリアシステムを構成するデータキャリアの個数に対応させて、それぞれのデータキャリア毎に個別に設定されていることを特徴とするリーダ／ライタ装置。
【請求項３】
請求項１に記載のデータキャリアと、請求項２に記載のリーダ／ライタ装置とを有することを特徴とするデータキャリアシステム。
【発明の詳細な説明】
【０００１】
【発明の属する技術分野】
本発明はデータキャリア、リーダ／ライタ装置及びデータキャリアシステムに関し、特に、所定のサービスエリア内に存在している複数のタグのＩＤを全て読み取るようにするマルチリードシーケンスを行うために用いて好適なものである。
【０００２】
【従来の技術】
従来、所定のサービスエリア内に複数のタグ（データキャリア）が同時に存在することが多い環境で使用されるデータキャリアシステムにおいては、上記複数のタグの全てのＩＤを認識するために種々の方式でマルチリードシーケンスが行われている。
【０００３】
すなわち、各データキャリアに持たせたユニークなＩＤを、マルチリードシーケンスによる順次読み取りを行って、１回のシーケンスでデータキャリアのＩＤを１個づつ読み出していた。このような、データキャリアシステムにおいては、リーダ／ライタ装置と複数のタグとの間にて行われる通信動作における単位時間を１ｅｔｕ（ｅｌｅｍｅｎｔａｒｙ    ｔｉｍｅ    ｕｎｉｔ）と表現するようにしている。
【０００４】
従来行われているデータキャリアシステムにおけるマルチリードシーケンスの一例を以下に説明する。
例えば、特許文献１では、マルチリードシーケンスのタイミングを説明するための図４の（ａ）に示したように、第１のタイミングＡにおいて、リーダ／ライタ装置が複数のタグに向けてマルチリードコマンド信号を発行する。
【０００５】
それに対して、サービスエリア内に存在している各タグは、図４（ｂ）〜（ｄ）に示すように、所定の設定時間（第１の設定時間）が経過した後の所定のタイミングで返事を返すようにしている。この例では、それぞれのデータキャリアが「０」のデータを返すタイムスロットと、「１」のデータを返すタイムスロットとがそれぞれ別個に設定されている。
【０００６】
図４の例では、第２のタイミングＢにおいて、各タグに割り当てられているＩＤを構成するビットデータにおける最上位の１桁のデータである「０」を第１のタグ〜第３のタグのそれぞれが上記リーダ／ライタ装置に送信して上記マルチリードシーケンスに対する返事を返している。
【０００７】
第１のタグ〜第３のタグからの返事はリーダ／ライタ装置により、同じ第２のタイミングＢにて受信される。リーダ／ライタ装置は、第１のタイミングＡで発行したコマンド信号に応じた返事がサービスエリア内に存在しているタグからあったので、次の第３のタイミングＣにおいて桁上げ信号を発行する。
【０００８】
ＩＤを構成するビットデータにおける上位２桁目のデータは、第１のタグ及び第２のタグは「０」であり、第３のタグは「１」である。したがって、上記リーダ／ライタ装置から発行された桁上げ信号に応じて返事を返す際に、「０」のデータを送信するタイムスロットで返事を返すのは、第１のタグ及び第２のタグのみである。
【０００９】
すなわち、図４の例では、データの「０」を送信するタイミングである第４のタイミングＤでは、第１のタグ及び第２のタグが「０」の返事を返していて、データが「１」である第３のタグは、第４のタイミングＤでは返事を返していない。上記第１のタグ及び第２のタグから送信されたデータ「０」の返事はリーダ／ライタ装置に受信される。
【００１０】
リーダ／ライタ装置は、「０」のデータを送信するためのタイムスロットで返事が返ってきたので、「１」のデータを送信するためのタイムスロットにおける返事の有無を待つことなく、次の第５のタイミングＥで桁上げ信号を発行する。これにより、第３のタグはデータ「１」を送信する機会が無くなったので、マルチリードシーケンスから抜けてコマンド待ち状態となる。
【００１１】
上記第１のタグ及び第２のタグにおけるビットデータの上位３桁目のデータは「１」である。したがって、これらの第１のタグ及び第２のタグは、「０」のデータを送信するためのタイムスロットである第６のタイミングＦにおいては返事を返さない。
【００１２】
リーダ／ライタ装置は、第６のタイミングＦにおいてはタグから返事が返って来なかったので、次の第７のタグＧでは桁上げ信号を発行せず、「１」のデータを送信するためのタイムスロットである第８のタイミングＨにおいて返事がタグから返って来るのを待つ。
【００１３】
上述したように、第１のタグ及び第２のタグにおけるビットデータの上位３桁目の「１」であるので、これらのタグは、「１」のデータを送信するためのタイムスロットである第８のタイミングＨにおいて返事を返す。この返事はリーダ／ライタ装置に受信される。リーダ／ライタ装置は、タグから返事が返ってきたので、次の第９のタイミングＩにおいて桁上げ信号を発行する。
【００１４】
上記第９のタイミングＩにおいて桁上げ信号を受信した第１のタグ及び第２のタグにおける上位から４桁目、すなわち、最下位ビットにおけるデータは、第１のタグは「０」であり、第２のタグは「１」である。したがって、上記第９のタイミングＩにおける桁上げ信号を受信した直後の第１０のタイミングＪにおいては、第１のタグのみがデータ「０」を送信して返事を返す。
【００１５】
上記第１０のタイミングＪにおいて第１のタグから送信された返事を受信したリーダ／ライタ装置は、次の第１１のタイミングＫにおいて桁上げ信号を発行する。これにより、第２のタグは返事を返す機会が無くなるので、コマンド待ち状態となる。また、第１のタグは、ＩＤを構成するビットデータがリーダ／ライタ装置により全て認識されたので、認識状態となり、第１２のタイミングＬ以降はマルチリードシーケンスから抜ける。
【００１６】
上述したような動作を繰り返し行うことにより、サービスエリア内に存在しているタグのＩＤをリーダ／ライタ装置が１個ずつ認識して行き、返事を返すタグが無くなったら、サービスエリア内に存在しているタグのＩＤを全て認識したとして、マルチリードシーケンスを終了する。
【００１７】
図５に示した例は、ＩＤを構成するビットデータを２ビットずつリーダ／ライタ装置に送る場合であり、この場合はビットデータを４つのタイムスロットを用いて送るようにしている。すなわち、データ「００」、データ「０１」、データ「１０」及びデータ「１１」に対応させた４個のタイムスロットである。それ以外の動作については、上述した図４の場合と同じであるので、詳細な説明を省略する。
【００１８】
上述したように、従来のマルチリードシーケンスにおいては、上記リーダ／ライタ装置に返事を返す際に、１桁の場合には２種類のタイムスロットを使用し、２桁の場合には４種類のタイムスロットを使用するようにしている。何れにしても、特定のタイムスロット内の信号レベルを判定して受信結果を決定するために、２種類／４種類のタイムスロットは互いに重ならないようにすることが重要である。そのため、各々のタイムスロット間にはガードタイムが設定されているか、或いは各々のタイムスロットが単独に存在する期間が充分に長くなるように上記タイムスロットの長さが設定されていた。
【００１９】
このため、リーダ／ライタ装置から送られたコマンド信号に対して各タグが応答する場合には、「時間バラツキ＋受信系での応答時間ばらつき」を考慮して、時間的に余裕を持たせてある。よって、従来は上記タイムスロットの目安は最速で３ｅｔｕ程度となるように設定していた。
【００２０】
一方、リーダ／ライタ装置においては、各々のタイムスロット毎にタグからの返事の信号を検出する動作を全てのタイムスロットが終わるまで継続して行うようにしている。
【００２１】
なお、上記検出した信号の中からどのデータを選んでもよいが、一般には、タイムスロット順に優先順位を割り振っておくようにしている。しかし、ランダムに選んでもよく、また、特定のＩＤコードを優先するようにする管理も可能である。リーダ／ライタ装置でタグからの信号を検出しなかった場合には上記桁上げ信号をタグに送らず、その回のマルチリードシーケンスを終了する。
【００２２】
上述の通信手順を繰り返して行っていくと、１回のマルチリードシーケンスで１個のタグのＩＤを読み取ることが出来る。したがって、このマルチリードシーケンスを何回も繰り返して行くことで、サービスエリア内に多数のタグが存在していても、全てのＩＤを順次読み取ることが可能である。したがって、各々のタグ内の制御は定型動作の繰り返しでよいので簡単なため、タグの製造コストを低減することができる利点があった。
【００２３】
【特許文献１】
特開平８−３６６２３号公報
【００２４】
【発明が解決しようとする課題】
以上、説明したように、従来のデータキャリアシステムにおけるマルチリードシーケンスの方法では、各々のタグは複数のタイムスロットに分けてリーダ／ライタ装置に返事を返していた。このため、リーダ／ライタ装置は、特定のタイムスロットの間に受信信号の有り無しを判定する必要があったので、上述したように複数のタグの返事が完全に重ならないように各々のタイムスロットを設定する必要があった。
【００２５】
また、各々のタグはリーダ／ライタ装置から送られるコマンド信号に対して同期して動作するが、各々のタグ間で応答ズレがある問題があった。また、タグからの信号の有無をリーダ／ライタ装置側で判定するまでの時間も信号レベルによって変わってくる問題があった。
【００２６】
すなわち、リーダ／ライタ装置に直近のタグからの信号は、リーダ／ライタ装置に強く伝わるため、各々のタグが返事を返し始めてから、リーダ／ライタ装置において信号有りと判断するまでの時間が早く、逆に返事を止めた後に信号が無いと判断する時間が遅くなるという問題があった。
【００２７】
それに対し、リーダ／ライタ装置のサービスエリアの限界に近い位置（リーダ／ライタ装置からは遠い位置）にいるタグの返事は、リーダ／ライタ装置に伝わる信号が弱いために、タグが返事を返し始めてから信号有りとリーダ／ライタ装置が判断するまでに要する時間が遅く、逆に返事を止めた後に信号が無いとリーダ／ライタ装置が判断する時間が早くなる問題があった。
【００２８】
このため、各々のタグの返事が重ならないようにするために、タイムスロットの間にガードタイムを入れたり、各タイムスロットを延ばしたりする必要があった。したがって、従来の方法においてはマルチリードシーケンスの時間が長くかかる問題があった。
【００２９】
また、実際の応用においてはリーダ／ライタ装置のサービスエリア内に複数のデータキャリアがくるデータキャリの数は総数で１００〜１０Ｋ個程度を想定しており、全て既知のデータキャリアである。そして、オプションにおいてそれぞれのタグは１００〜１０００個単位でＧｒ分けされている。何れにしても、リーダ／ライタ装置のサービスエリア内に存在しているデータキャリを高速で認識したい要求があった。
【００３０】
しかしながら、従来のマルチリードシーケンスの場合には、１回のシーケンスで１個のデータキャリアしか認識することができないため、サービスエリア内に存在しているタグを全て認識するのに多くの時間がかかる問題があった。
【００３１】
例えば、１０００個のデータキャリアを認識するのに３０〜２００秒程度の時間が必要であった。上記のように多くの時間が必要でも、データキャリアがサービスエリア内に静止している場合には問題は少なかった。
【００３２】
しかしながら、実際の運用の中にはデータキャリアの数は特定数のことも多い。例えば、工場内の製造工程の物流でパレットやコンテナにつけたデータキャリアを認識する場合には、ＩＤの区別数は１０Ｋも有れば充分であることが多い。
【００３３】
すなわち、データキャリアの個数を多く認識するよりも、どんどん進行する工程の中でデータキャリアが何処にあるのかを急いで認識したいことがある。あるいは、特定数のワークにデータキャリアをつけて、それらが今何処のサービスエリア内にあるか出来るだけ早く何回も連続的に認識したい要望があった。
【００３４】
このような場合には、従来のマルチリードシーケンス方法ではデータキャリアのＩＤを短くして読む出し速度を上げていたが、それでも１回のマルチリードシーケンスで１個のデータキャリアしか認識できないために、上記のように多くの時間がかかってしまう問題があった。
本発明上述の問題点にかんがみ、サービスエリア内に存在する全てのデータキャリアのＩＤを高速に、かつ一定時間で認識できるようにすることを目的とする。
【００３５】
【課題を解決するための手段】
本発明のデータキャリアは、リーダ／ライタ装置から送られるコマンド信号に呼応して自己のＩＤを送信するように構成されたデータキャリアであって、上記リーダ／ライタ装置から送られるコマンド信号に呼応して上記ＩＤを送信するタイミングが上記ＩＤに対応させて個別に設定されていて、上記コマンド信号に呼応して複数のデータキャリアがＩＤを送信する際に、それぞれのデータキャリア毎に異なるタイミングで上記ＩＤを送信するようになされていることを特徴としている。
【００３６】
本発明のリーダ／ライタ装置は、発行したコマンド信号に呼応してデータキャリアから送信されるＩＤを受信してサービスエリア内に存在する全てのデータキャリアを認識するデータキャリアシステムに用いられるリーダ／ライタ装置であって、上記サービスエリア内に存在しているデータキャリアから送られるＩＤを受信するタイミングが、上記データキャリアシステムを構成するデータキャリアの個数に対応させて、それぞれのデータキャリア毎に個別に設定されていることを特徴としている。
【００３７】
本発明のデータキャリアシステムは、上記に記載のデータキャリアと、上記に記載のリーダ／ライタ装置とを有することを特徴としている。
ことを特徴としている。
【００３８】
【発明の実施の形態】
次に、添付図面を参照しながら本発明のデータキャリア、リーダ／ライタ装置及びデータキャリアシステムの実施の形態について説明する。
図１は、本実施の形態におけるタグ（データキャリア）の構成例を示すブロック図である。
本実施の形態のタグ１００は、リーダ／ライタ装置から送られるマルチリードコマンド信号をアンテナ１０１で受信すると、バンドパスフィルタ１０２で不要な帯域の信号をカットしてからアンプ１０３で所定のレベルに増幅して制御回路１０４に供給する。
【００３９】
制御回路１０４は、入力されたマルチリードコマンド信号に従って、ＩＤ記憶回路１０５に記憶されているＩＤを構成するビットデータを読み出して、ＩＤ信号生成回路１０６に導出する。ＩＤ信号生成回路１０６は、ＩＤ記憶回路１０５から読み出されたビットデータの内容に従って、リーダ／ライタ装置に送信する返事の信号を生成する。本実施の形態のＩＤ信号生成回路１０６は、例えば、１２５ＫＨｚのキャリア周波数に対して、サブキャリア信号Ｓ１を生成する。
【００４０】
上述のようにして生成されるサブキャリア信号Ｓ１は、ＩＤ信号生成回路１０６から出力アンプ１０７に供給され、所定のレベルに増幅されてからアンテナ１０１を介してリーダ／ライタ装置に送信される。本実施の形態においては、上記生成した返事の信号を上記リーダ／ライタ装置に送信するタイミングが、上記ＩＤに応じた所定のタイミングとなるように設定されている。
【００４１】
次に、図２を参照しながら本実施の形態のリーダ／ライタ装置の構成例を説明する。
図２において、２０１〜２０ｎはサービスエリア内に存在しているタグを示している。また、２１０はリーダ／ライタ装置本体、２１１はアンテナ、２１２はバンドパスフィルタ、２１３はアンプ、２１４は検波回路である。また、２１５はコントローラ、２１６は出力アンプである。
【００４２】
このような構成により、アンテナ２１１からコマンド信号がリーダ／ライタ装置から送信されると、それに応じて各タグ２０１〜２０ｎからは、タグのＩＤを構成するビットデータの内容に応じて設定された所定のタイムスロットでＩＤを表す信号が返事の信号として送信される。
【００４３】
したがって、上記各タグ２０１〜２０ｎからは、それぞれのＩＤを表す返事の信号が所定のタイムスロット毎に順次送信される。そして、上記タグ２０１〜２０ｎ２０１〜２０ｎから送信されたＩＤを表す返事の信号は、バンドパスフィルタ２１２により不要な周波数帯が取り除かれた後でアンプ２１３に入力されて増幅され、次に、検波回路２１４によって検波されてＩＤを表す返事の信号が検出される。上記検出されたタグのＩＤを表す返事の信号はコントローラ２１５に入力される。
【００４４】
上記コントローラ２１５は、ＣＰＵ、ＲＡＭ及びＲＯＭ等よりなるコンピュータシステムにより構成されており、各タグ２０１〜２０ｎにマルチリードシーケンスを行うためのコマンド信号を送信したり、各タグ２０１〜２０ｎから所定のタイムスロット毎に送られるＩＤを表す返事の信号を検出する。
コントローラ２１５から出力されるコマンド信号は、出力アンプ２１６によって増幅され、アンテナ２１１を介して各タグ２０１〜２０ｎに送信される。
【００４５】
次に、上述のように構成されたタグ及びリーダ／ライタ装置により構成されるデータキャリアシステムの動作を具体的に説明する。
【００４６】
図３（ａ）に示すように、リーダ／ライタ装置がデータキャリにコマンド信号を発行すると、サービスエリア内に存在しているタグ２０１〜２０ｎがこれを受信する。上記リーダ／ライタ装置から送られたコマンド信号を受信した各タグ２０１〜２０ｎは、所定の時間経過した後、図３の例では４ｅｔｕ経過した後に、あらかじめプログラムされた所定のタイミングで返事のキャリアを単位時問返す。
【００４７】
上記のように、所定の時間が経過した後でＩＤを表す返事の信号を返すのは、リーダ／ライタ装置がコマンド信号やデータを送るため、データを駆動する交番磁界に変調をかけると、リーダ／ライタ装置の受信系に大きな信号として飛びこんでしまうため、リーダ／ライタ装置がコマンド信号を出した直後には受信系の動作が上記飛びこみ信号の影響で検出力が落ちているからである。
【００４８】
本実施の形態においては、全てのデータキャリアは異なるタイミングで返事の信号を返すので、互いに信号が重なら無いように設定されている。データキャリアが返事を返すタイミングは、それぞれの異なるように割り当てたＩＤ番号による。
【００４９】
例えば、データキャリアは全部で１０２４個有る場合には、各データキャリアのＩＤは１〜１０２４が割り振られている。そして、リーダ／ライタ装置からのコマンド信号を受信した後、設定された遅延時問（４ｅｔｕ）後にＩＤの番号の順に返事を返すタイミングを設定しておく。
１番目リーダ／ライタ装置のコマンド信号受信＋第１の設定時間だけ経過したら直ぐに１ｅｔｕの期間返事を返すようにする。
【００５０】
２番目のタグは、リーダ／ライタ装置のコマンド信号受信＋第１の設定時間＋２ｅｔｕ後に、１ｅｔｕの期間返事を返すようにする。
【００５１】
また、３番目のタグは、リーダ／ライタ装置のコマンド信号受信＋第１の設定時間＋４ｅｔｕ後に１ｅｔｕの期間返事を返すようにする。
さらに、Ｎ番目のタグは、リーダ／ライタ装置のコマンド信号受信＋第１の設定時間後＋２（Ｎ−１）ｅｔｕ後に１ｅｔｕの期間返事を返すようにする。
【００５２】
また、１０２４番目のタグは、リーダ／ライタ装置のコマンド信号受信＋第１の設定時間後＋２０４６ｅｔｕ後に１ｅｔｕの期間返事を返すようにする。
【００５３】
よって、コマンド信号＋第１の設定時間＋２０４７ｅｔｕが経過するまでに、サービスエリア内に存在するデータキャリアは、互いに返事を重ならせないで返事の信号を返すことが出来ている。
【００５４】
したがって、本実施の形態のマルチリードシーケンスによれば、コマンド信号の発行時間に１００ｅｔｕを割り振り、第１の設定時間に４ｅｔｕを割り振っても、全体では約２１５１ｅｔｕで全てのタグの読み出しを完了する。
【００５５】
このなかで、１０２４個のデータキャリアのうち、どれとどれがサービスエリア内に存在していたのか検出することができる。例えば、１３．５６ＭＨｚ帯のデータキャリアの代表値である１ｅｔｕを４０μ秒とすると、約８６ｍＳＥＣであり、長波帯のデータキャリアの代表値１ｅｔｕを５００μ秒としても約１０７６ｍＳＥＣである。
【００５６】
このように、本実施の形態のデータキャリア及びリーダ／ライタ装置を用いたマルチリードシーケンス方法は、サービスエリア内に存在している全てのデータキャリアを高速に認識する利点があるので、データキャリアが短時間に移動する場合でも確実に認識できる利点がある。
【００５７】
一方、上記の例ではデータキャリアが１０２４個であったが、数量が限定されてしまう問題がある。これは、数量に比例して時間を延ばしていけば解決可能な問題である。但し、１００００個を想定して全部で約１０秒を読み時間を設定すると、１回のマルチリードシーケンスを行うと、サービスエリア内に存在するデータキャリアの数によらずにそれだけの時間がかかってしまう問題がある。
【００５８】
一方、従来のシーケンスでは、１回に１個のデータキャリアしか認識できないが、存在する数のシーケンスだけ実行すると完了となる。しかしながら、実際には、全てのデータキャリアのＩＤを読み出した後も返事が無い事を確認するためのシーケンスが必要であるので、データキャリアからの返事が無い場合はＩＤを読み出すようにしていた。
【００５９】
そして、最初の桁のところで返事が無いと判断されるので、短い。すなわち、データキャリアの母数が大きい一方で、サービスエリア内には少数しかデータキャリアが存在しない場合は、従来の方が有利となる。
【００６０】
それに対して、本実施の形態においては、通信対象のデータキャリアの総数が１０００個程度以下のように少ないが、サービスエリア内に同時に存在するデータキャリアの数が多いときに有利となる。また、本実施の形態では、データキャリアの個数によらず常に一定の時間で読み取りシーケンスを終了することができる利点が得られる。
【００６１】
また、オプションで、読み出しに使うＩＤの他に、グループ分けするＧｒコードをデータキャリアに割り振り、上記Ｇｒコードを指定して特定のＧｒのデータキャリアのＩＤを認識するようにすることも出来る。
【００６２】
これは、基本的には同一Ｇｒのデータキャリアがセットとなって使われており、通常は該当するＧｒのデータキャリを指定したコマンド信号で高速に動作させておけば良い場合に有効である。
【００６３】
本実施の形態においては、通常の読み速度を速くできるので、管理上において、Ｇｒ間で混入した場合か、混入がないことを確認する場合にのみＧｒコードを含めて検索してデータキャリアを認識すればよい。
【００６４】
【発明の効果】
以上説明してきたように、本発明によれば、リーダ／ライタ装置から送られるコマンド信号に呼応してＩＤを送信するタイミングを上記ＩＤ毎に個別に設定して、それぞれのデータキャリア毎に異なるタイミングでＩＤを送信するようにしたので、複数のデータキャリアがサービスエリア内に存在している状態においても、各データキャリアからＩＤが同時に送信されて混信が生じるることをなくすことができるとともに、１回のマルチリードシーケンスを行うだけでサービスエリア内に存在している全てのデータキャリアを認識することができる。これにより、サービスエリア内に存在する全てのデータキャリアを高速に、かつ一定時間で認識することができる。
【図面の簡単な説明】
【図１】本発明の実施の形態を示し、データキャリアの概略構成を示すブロック図である。
【図２】実施の形態のリーダ／ライタ装置の概略構成を示すブロック図である。
【図３】実施の形態のマルチリードシーケンスの動作順序を説明するためのタイミング説明図である。
【図４】第１の従来例を示し、マルチリードシーケンスの動作順序を説明するためのタイミング説明図である。
【図５】第２の従来例を示し、マルチリードシーケンスの動作順序を説明するためのタイミング説明図である。
【符号の説明】
１００  タグ
１０１  アンテナ１０１
１０２  バンドパスフィルタ
１０３  アンプ
１０４  制御回路
１０５  ＩＤ記憶回路
１０６  ＩＤ信号生成回路
１０７  出力アンプ
２０１〜２０ｎ  タグ
２１０  リーダ／ライタ装置本体
２１１  アンテナ
２１２  バンドパスフィルタ
２１３  アンプ
２１４  検波回路
２１５  コントローラ
２１６  出力アンプ
【図１】
2004158987.tif 000003
【図２】
2004158987.tif 000004
【図３】
2004158987.tif 000005
【図４】
2004158987.tif 000006
【図５】
2004158987.tif 000007